【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  複数の荷重センサを備える多点式秤において、
前記複数の荷重センサの出力値を比較して荷重位置を検出する荷重位置検出手段と、
複数の識別情報を、前記荷重位置に対応させて記憶する記憶手段と、
前記検出された荷重位置に従って、前記記憶手段に記憶されている識別情報の中から特定の識別情報を呼び出す手段とを備えることを特徴とする多点式秤。
【請求項２】  前記識別情報は、個人を識別するための個人データであることを特徴とする請求項１記載の多点式秤。
【請求項３】  前記識別情報は、個人を識別するための設定項目である身長、年齢又は性別の内の少なくとも一つであることを特徴とする請求項１又は２に記載の多点式秤。
【請求項４】  前記識別情報は、更に前記設定項目の設定値を変更及び入力する設定キーであることを特徴とする請求項３記載の多点式秤。
【請求項５】  複数の荷重センサを備える多点式秤において、
前記複数の荷重センサの出力値を比較して荷重位置を検出する位置検出手段と、
個人を識別するための識別情報を、前記荷重位置に割り当てて記憶する記憶手段と、
前記位置検出手段により荷重位置を検出して個人を識別するための個人データを選択する荷重位置検出モードと、前記記憶手段から、前記個人を識別するための設定項目である身長、年齢又は性別の内の少なくとも一つを前記荷重位置に応じて選択する設定モードと、前記記憶手段から、前記設定項目の設定値を変更及び入力する設定キーを前記荷重位置に応じて選択するキー操作モードとを切り換えて設定するモード切換手段とを備え、
前記検出された荷重位置と前記設定されたモードとに基づいて、個人識別情報を設定することを特徴とする多点式秤。
【請求項６】  前記モード切換手段は、前記荷重位置検出モードと全荷重を測定する通常モードとを切り換えることを特徴とする請求項５記載の多点式秤。
【手続補正２】
【補正対象書類名】明細書
【補正対象項目名】０００５
【補正方法】変更
【補正の内容】
【０００５】
【課題を解決するための手段】
上記課題を解決するために本発明は、複数の荷重センサを備える多点式秤において、前記複数の荷重センサの出力値を比較して荷重位置を検出する荷重位置検出手段と、複数の識別情報を、前記荷重位置に対応させて記憶する記憶手段と、前記検出された荷重位置に従って、前記記憶手段に記憶されている識別情報の中から特定の識別情報を呼び出す手段とを備える多点式秤を提供する。
【手続補正３】
【補正対象書類名】明細書
【補正対象項目名】０００６
【補正方法】変更
【補正の内容】
【０００６】
また、前記識別情報は、個人を識別するための個人データであり、個人を識別するための設定項目である身長、年齢又は性別の内の少なくとも一つであり、更に前記設定項目の設定値を変更及び入力する設定キーである。
【手続補正４】
【補正対象書類名】明細書
【補正対象項目名】０００７
【補正方法】変更
【補正の内容】
【０００７】
また、本発明は、複数の荷重センサを備える多点式秤において、前記複数の荷重センサの出力値を比較して荷重位置を検出する位置検出手段と、個人を識別するための識別情報を、前記荷重位置に割り当てて記憶する記憶手段と、前記位置検出手段により荷重位置を検出して個人を識別するための個人データを選択する荷重位置検出モードと、前記記憶手段から、前記個人を識別するための設定項目である身長、年齢又は性別の内の少なくとも一つを前記荷重位置に応じて選択する設定モードと、前記記憶手段から、前記設定項目の設定値を変更及び入力する設定キーを前記荷重位置に応じて選択するキー操作モードとを切り換えて設定するモード切換手段とを備え、前記検出された荷重位置と前記設定されたモードとに基づいて、個人識別情報を設定し、更に、前記モード切換手段は、前記荷重位置検出モードと全荷重を測定する通常モードとを切り換える多点式秤を提供する。
【手続補正５】
【補正対象書類名】明細書
【補正対象項目名】０００８
【補正方法】変更
【補正の内容】
【０００８】
【発明の実施の形態】
本発明の多点式秤は、複数の荷重センサを備える多点式秤において、前記複数の荷重センサの出力値を比較して荷重位置を検出する荷重位置検出手段と、複数の識別情報を、前記荷重位置に対応させて記憶する記憶手段と、前記検出された荷重位置に従って、前記記憶手段に記憶されている識別情報の中から特定の識別情報を呼び出す手段とを備えることにより、別途識別用スイッチを設けることなく、秤の特定の位置を踏むだけの容易な操作で特定の識別情報を呼び出すことが可能である。
【手続補正６】
【補正対象書類名】明細書
【補正対象項目名】０００９
【補正方法】変更
【補正の内容】
【０００９】
また、前記識別情報は、個人を識別するための個人データであり、個人を識別するための設定項目である身長、年齢又は性別の内の少なくとも一つであり、更に前記設定項目の設定値を変更及び入力する設定キーであることから、秤の４隅の内、右前側や左後ろ側等、個人登録した位置が感覚的に分かりやすく、面積は足で操作するのに十分広いため操作しやすい。よって誤操作が低減され、他人のデータとの混同を防止することができる。また、足元で各種設定操作が簡便にでき、屈み込むことなく各種設定から測定まで立位でスムーズに行うことができる。
【手続補正７】
【補正対象書類名】明細書
【補正対象項目名】００１０
【補正方法】変更
【補正の内容】
【００１０】
また、本発明の多点式秤は、複数の荷重センサを備える多点式秤において、前記複数の荷重センサの出力値を比較して荷重位置を検出する位置検出手段と、個人を識別するための識別情報を、前記荷重位置に割り当てて記憶する記憶手段と、前記位置検出手段により荷重位置を検出して個人を識別するための個人データを選択する荷重位置検出モードと、前記記憶手段から、前記個人を識別するための設定項目である身長、年齢又は性別の内の少なくとも一つを前記荷重位置に応じて選択する設定モードと、前記記憶手段から、前記設定項目の設定値を変更及び入力する設定キーを前記荷重位置に応じて選択するキー操作モードとを切り換えて設定するモード切換手段とを備え、前記検出された荷重位置と前記設定されたモードとに基づいて、個人識別情報を設定し、更に、前記モード切換手段は、前記荷重位置検出モードと全荷重を測定する通常モードとを切り換えるものである。
【手続補正８】
【補正対象書類名】明細書
【補正対象項目名】００１６
【補正方法】変更
【補正の内容】
【００１６】
また図２によると、４つの荷重センサＡ、Ｂ、Ｃ及びＤは、出力の検出と、メモリより呼び出す情報を切り換えることにより入力モードを切り換えるモード切換部１０を介して制御部１１に接続されており、電源スイッチ２、表示部３及びインピーダンス測定電極群４が、制御部１１に接続されて構成している。
【手続補正９】
【補正対象書類名】明細書
【補正対象項目名】００２１
【補正方法】変更
【補正の内容】
【００２１】
ステップＳ３において、前記荷重位置検出により荷重位置が確定されたかどうか判断される。荷重位置が確定されておらず、未検出の状態であればＮＯに進み、ステップＳ９において表示部３にエラー表示された後、予め設定してある、エラー表示から一定時間後に自動的に電源オフする。また荷重位置が確定された場合はＹＥＳに進み、ステップＳ４においてメモリ部１５内に格納してある個人識別のための個人データの中から、前記検出された荷重位置に対応する個人データを呼び出し表示部３に表示する。図５乃至図８を用いて後述する個人登録が済んでいれば個人識別情報として設定した個人データが表示され、未登録の場合、未登録を示すメッセージを表示すると共にステップＳ５に進む。
【手続補正１０】
【補正対象書類名】明細書
【補正対象項目名】００３７
【補正方法】変更
【補正の内容】
【００３７】
ステップＳ４６において、前記荷重位置検出において決定キーが選択されたかどうか判断される。他の設定項目を選択していた場合ＮＯに進み、再びステップＳ４３に戻り荷重位置を検出する。また決定キーを選択した場合ＹＥＳに進み、ステップＳ４７において、全設定項目の設定が完了したかどうか自動で判断される。
【手続補正１１】
【補正対象書類名】明細書
【補正対象項目名】００３８
【補正方法】変更
【補正の内容】
【００３８】
全設定項目の内１つでも完了していない場合ＮＯに進み、ステップＳ４８において、制御部１１によりモード切換部１０を制御して、設定モードとキー操作モードとの相互モード切換を行う。すなわち現モードが設定モードの場合キー操作モードに切り換えられ、現モードがキー操作モードの場合設定モードに切り換えられる。例えば前述したように設定モードにおいて設定項目を選択した場合、前記相互モード切換によりキー操作モードに切り換えられ、再びステップＳ４２に戻る。
【手続補正１２】
【補正対象書類名】明細書
【補正対象項目名】００４１
【補正方法】変更
【補正の内容】
【００４１】
前記設定を繰り返し、前記ステップＳ４７において全設定項目の設定が完了するとＹＥＳに進み、ステップＳ４９において全設定項目と設定された数値が表示部３に表示されると共に、各設定項目が正しく数値設定されていれば決定キーを押し、変更する場合には決定キー以外の荷重位置を選択するように指示するガイダンスを表示する。
【手続補正１３】
【補正対象書類名】明細書
【補正対象項目名】００４５
【補正方法】変更
【補正の内容】
【００４５】
例えば、４つの荷重センサの内、隣り合う２つの荷重センサが予め設定しておいた閾値以上の出力を示し、もう一方の隣り合う２つの荷重センサが閾値以下を示し、且つ前記各隣り合う２つの荷重センサの出力差が、予め設定してある一定範囲以下を示した場合、前記閾値以上を示した２つの荷重センサの間に荷重位置を検出することが可能であり、より多くの個人情報を識別することが可能である。
【手続補正１４】
【補正対象書類名】明細書
【補正対象項目名】００４７
【補正方法】変更
【補正の内容】
【００４７】
【発明の効果】
本発明の多点式秤は、複数の荷重センサを備える多点式秤において、前記複数の荷重センサの出力値を比較して荷重位置を検出する荷重位置検出手段と、複数の識別情報を、前記荷重位置に対応させて記憶する記憶手段と、前記検出された荷重位置に従って、前記記憶手段に記憶されている識別情報の中から特定の識別情報を呼び出す手段とを備えることにより、別途識別用スイッチを設けることなく、秤の特定の位置を踏むだけの容易な操作で特定の識別情報を呼び出すことが可能である。
【手続補正１５】
【補正対象書類名】明細書
【補正対象項目名】００４８
【補正方法】変更
【補正の内容】
【００４８】
また、前記識別情報は、個人を識別するための個人データであり、個人を識別するための設定項目である身長、年齢又は性別の内の少なくとも一つであり、前記設定項目の設定値を変更及び入力する設定キーであることから、秤の４隅の内、右前側や左後ろ側等、個人登録した位置が感覚的に分かりやすく、面積は足で操作するのに十分広いため操作しやすい。よって誤操作が低減され、他人のデータとの混同を防止することができる。また、足元で各種設定操作が簡便にでき、屈み込むことなく各種設定から測定まで立位でスムーズに行うことができる。
【手続補正１６】
【補正対象書類名】明細書
【補正対象項目名】００４９
【補正方法】削除
【補正の内容】
【手続補正１７】
【補正対象書類名】図面
【補正対象項目名】図３
【補正方法】変更
【補正の内容】
【図３】
2004333241.tif 000001